(57)【特許請求の範囲】
【請求項１】
互いに直交する縦方向と横方向と厚さ方向とを有した吸収性物品であって、
長手方向を前記縦方向に沿わせて配された吸収性本体と、
前記横方向に沿って設けられ、前記吸収性本体の前記長手方向の一方の端部に前記厚さ方向の非肌側から重ねられて固定された腹側帯部材と、
前記腹側帯部材よりも面積の大きい別部材として前記横方向に沿って設けられ、前記吸収性本体の前記長手方向の他方の端部に前記厚さ方向の非肌側から重ねられて固定された背側帯部材と、を有し、
前記腹側帯部材のうちの前記横方向の各端部と前記背側帯部材のうちの前記横方向の各端部とが連結されることによって、一つの胴回り開口部と二つの脚回り開口部とが形成されており、
前記腹側帯部材には、前記横方向の収縮力を付与する腹側胴回り弾性部材が設けられ、
前記背側帯部材には、前記横方向の収縮力を付与し、前記横方向から傾斜してなる傾斜部分を有する背側胴回り弾性部材が設けられ、
前記吸収性本体には、前記吸収性本体の前記横方向の両端部に前記長手方向の収縮力を付与する一対の脚回り弾性部材と、前記吸収性本体の前記横方向の両側において肌側に起立する防漏壁に前記長手方向の収縮力を付与する一対の防漏壁弾性部材と、が設けられ、
前記背側帯部材と前記吸収性本体とが重なる部分の面積は、前記腹側帯部材と前記吸収性本体とが重なる部分の面積以上の大きさであり、
前記厚さ方向において、前記腹側帯部材及び前記背側帯部材と、前記脚回り弾性部材及び前記防漏壁弾性部材の伸長された状態の部分が重なっており、
前記防漏壁弾性部材の伸長された状態の部分と前記背側帯部材とが重なる長さは、前記脚回り弾性部材の伸長された状態の部分と前記背側帯部材とが重なる長さよりも長く、
前記背側胴回り弾性部材は、収縮した状態で、前記脚回り弾性部材及び前記防漏壁弾性部材よりも前記横方向の外側に設けられており、
収縮した状態の前記背側胴回り弾性部材の横方向内側端部と前記脚回り弾性部材との間の前記横方向の距離は、
前記背側胴回り弾性部材と前記背側帯部材の長手方向の内側端部との間の前記長手方向の距離よりも小さい、ことを特徴とする吸収性物品。
【請求項２】
請求項１に記載の吸収性物品であって、
前記脚回り弾性部材は、前記腹側胴回り弾性部材及び前記背側胴回り弾性部材が配置された位置よりも前記吸収性本体の長手方向の外側の位置まで、伸長された状態で配置されている、ことを特徴とする吸収性物品。
【請求項３】
請求項１または２に記載の吸収性物品であって、
前記腹側帯部材及び前記背側帯部材の前記吸収性本体の前記横方向両端部よりも前記横方向の外側の領域に、接着剤を備えた一対の第１接着領域を有し、
前記腹側胴回り弾性部材及び前記背側胴回り弾性部材のうちの少なくとも一方は、前記切断された個所から、前記第１接着領域が形成されている領域まで収縮している、ことを特徴とする吸収性物品。
【請求項４】
請求項３に記載の吸収性物品であって、
前記一対の第１接着領域の前記横方向の間に、前記接着剤を備えた第２接着領域を有し、
前記第１接着領域における単位面積当たりの前記接着剤の重量は、前記第２接着領域における単位面積当たりの前記接着剤の重量よりも大きい、ことを特徴とする吸収性物品。
【請求項５】
請求項１〜４のいずれかに記載の吸収性物品であって、
前記腹側胴回り弾性部材は、収縮した状態で、前記脚回り弾性部材及び前記防漏壁弾性部材よりも前記横方向の外側に設けられており、
前記背側胴回り弾性部材は、一対の前記脚回り弾性部材及び一対の前記防漏壁弾性部材の前記横方向の間で切断されていない、ことを特徴とする吸収性物品。
【請求項６】
互いに直交する縦方向と横方向と厚さ方向とを有した吸収性物品であって、
長手方向を前記縦方向に沿わせて配された吸収性本体と、
前記横方向に沿って設けられ、前記吸収性本体の前記長手方向の一方の端部に前記厚さ方向の非肌側から重ねられて固定された腹側帯部材と、
前記腹側帯部材よりも面積の大きい別部材として前記横方向に沿って設けられ、前記吸収性本体の前記長手方向の他方の端部に前記厚さ方向の非肌側から重ねられて固定された背側帯部材と、を有し、
前記腹側帯部材のうちの前記横方向の各端部と前記背側帯部材のうちの前記横方向の各端部とが連結されることによって、一つの胴回り開口部と二つの脚回り開口部とが形成されており、
前記腹側帯部材には、前記横方向の収縮力を付与する腹側胴回り弾性部材が設けられ、
前記背側帯部材には、前記横方向の収縮力を付与し、前記横方向から傾斜してなる傾斜部分を有する背側胴回り弾性部材が設けられ、
前記吸収性本体には、前記吸収性本体の前記横方向の両端部に前記長手方向の収縮力を付与する一対の脚回り弾性部材と、前記吸収性本体の前記横方向の両側において肌側に起立する防漏壁に前記長手方向の収縮力を付与する一対の防漏壁弾性部材と、が設けられ、
前記背側帯部材と前記吸収性本体とが重なる部分の面積は、前記腹側帯部材と前記吸収性本体とが重なる部分の面積以上の大きさであり、
前記厚さ方向において、前記腹側帯部材及び前記背側帯部材と、前記脚回り弾性部材及び前記防漏壁弾性部材の伸長された状態の部分が重なっており、
前記防漏壁弾性部材の伸長された状態の部分と前記背側帯部材とが重なる長さは、前記脚回り弾性部材の伸長された状態の部分と前記背側帯部材とが重なる長さよりも長く、
前記背側胴回り弾性部材は、収縮した状態で、前記脚回り弾性部材及び前記防漏壁弾性部材よりも前記横方向の外側に設けられており、
前記背側胴回り弾性部材は、前記縦方向に複数並んで配置されており、
収縮した状態の前記背側胴回り弾性部材の横方向内側端部と前記脚回り弾性部材との間の前記横方向の距離は、
複数配置された前記背側胴回り弾性部材の前記縦方向の幅よりも小さい、ことを特徴とする吸収性物品。
【請求項７】
請求項６に記載の吸収性物品であって、
前記吸収性本体の非肌側表面には、格子状の圧搾部が形成されており、
収縮した状態の前記背側胴回り弾性部材の横方向内側端部と前記脚回り弾性部材との間の前記横方向の距離は、
前記格子状の圧搾部の対角線の距離よりも小さい、ことを特徴とする吸収性物品。
【請求項８】
請求項７に記載の吸収性物品であって、
複数の前記背側胴回り弾性部材同士の前記縦方向の間の距離は、
前記格子状の圧搾部の対角線の距離よりも小さい、ことを特徴とする吸収性物品。
【請求項９】
請求項１〜８に記載の吸収性物品であって、
前記腹側胴回り弾性部材及び前記背側胴回り弾性部材において、前記吸収性本体と重複する領域に配置された部分の伸長倍率は、前記吸収性本体と重複していない領域に配置された部分の伸長倍率よりも高い、ことを特徴とする吸収性物品。
【発明の詳細な説明】
【技術分野】
【０００１】
本発明は、吸収性物品に関する。
【背景技術】
【０００２】
従来、尿を吸収する吸収性物品として、特許文献１に示すような３ピースタイプのパンツ型使い捨ておむつが知られている。かかるおむつは、第１部品として着用対象者の股間部にあてがわれて尿を吸収する吸収性本体を有し、第２部品として着用対象者の腹側部を覆う腹側帯部材を有し、第３部品として着用対象者の背側部を覆う背側帯部材を有している。そして、吸収性本体がその長手方向の所定位置で二つ折りされながら、腹側帯部材のうちの横方向の各端部と背側帯部材のうちの横方向の各端部とが連結されることにより、当該おむつは、一つの胴回り開口部と二つの脚回り開口部とを有したパンツ型おむつとして使用される。
【先行技術文献】
【特許文献】
【０００３】
【特許文献１】特表２００６−５２５８５８号公報
【発明の概要】
【発明が解決しようとする課題】
【０００４】
特許文献１に記載されたパンツ型おむつでは、腹側・腹側帯部材に配置された弾性部材や吸収性本体に配置された弾性部材によって胴回りや脚回りの開口部に収縮力を付与することで、着用者の身体にフィットさせている。しかし、このようなパンツ型おむつでは、帯部材に配置された弾性部材による伸縮力と、吸収性本体に配置された弾性部材による伸縮力とが連動して吸収性本体が腹側・腹側帯部材側の動作方向に引っ張られることにより、当該吸収性本体の動きが着用者の脚の動きの妨げとなる場合があった。
【０００５】
本発明は、上記のような問題に鑑みてなされたものであって、その目的とするところは、着用者に快適なフィット性を与えつつ脚の動き等の動作を妨げにくいパンツ型おむつを提供することにある。
【課題を解決するための手段】
【０００６】
上記目的を達成するための主たる発明は、
互いに直交する縦方向と横方向と厚さ方向とを有した吸収性物品であって、
長手方向を前記縦方向に沿わせて配された吸収性本体と、
前記横方向に沿って設けられ、前記吸収性本体の前記長手方向の一方の端部に前記厚さ方向の非肌側から重ねられて固定された腹側帯部材と、
前記腹側帯部材よりも面積の大きい別部材として前記横方向に沿って設けられ、前記吸収性本体の前記長手方向の他方の端部に前記厚さ方向の非肌側から重ねられて固定された背側帯部材と、を有し、
前記腹側帯部材のうちの前記横方向の各端部と前記背側帯部材のうちの前記横方向の各端部とが連結されることによって、一つの胴回り開口部と二つの脚回り開口部とが形成されており、
前記腹側帯部材には、前記横方向の収縮力を付与する腹側胴回り弾性部材が設けられ、
前記背側帯部材には、前記横方向の収縮力を付与し、前記横方向から傾斜してなる傾斜部分を有する背側胴回り弾性部材が設けられ、
前記吸収性本体には、前記吸収性本体の前記横方向の両端部に前記長手方向の収縮力を付与する一対の脚回り弾性部材と、前記吸収性本体の前記横方向の両側において肌側に起立する防漏壁に前記長手方向の収縮力を付与する一対の防漏壁弾性部材と、が設けられ、
前記背側帯部材と前記吸収性本体とが重なる部分の面積は、前記腹側帯部材と前記吸収性本体とが重なる部分の面積以上の大きさであり、
前記厚さ方向において、前記腹側帯部材及び前記背側帯部材と、前記脚回り弾性部材及び前記防漏壁弾性部材の伸長された状態の部分が重なっており、
前記防漏壁弾性部材の伸長された状態の部分と前記背側帯部材とが重なる長さは、前記脚回り弾性部材の伸長された状態の部分と前記背側帯部材とが重なる長さよりも長く、
前記背側胴回り弾性部材は、収縮した状態で、前記脚回り弾性部材及び前記防漏壁弾性部材よりも前記横方向の外側に設けられており、
収縮した状態の前記背側胴回り弾性部材の横方向内側端部と前記脚回り弾性部材との間の前記横方向の距離は、
前記背側胴回り弾性部材と前記背側帯部材の長手方向の内側端部との間の前記長手方向の距離よりも小さい、ことを特徴とする吸収性物品である。
【０００７】
本発明の他の特徴については、本明細書及び添付図面の記載により明らかにする。
【発明の効果】
【０００８】
本発明によれば、着用者に快適なフィット性を与えつつ脚の動き等の動作を妨げにくいパンツ型おむつを提供することができる。
【図面の簡単な説明】
【０００９】
【図１】本実施形態の吸収性物品の一例としての３ピースタイプのパンツ型使い捨ておむつ１を腹側から見た概略正面図である。
【図２】展開状態のおむつ１を肌側から見た概略平面図である。
【図３】展開状態のおむつ１を非肌側から見た概略平面図である。
【図４】図４Ａ及び図４Ｂは、それぞれ図２中のＡ−Ａ断面図及びＢ−Ｂ断面図である。
【図５】図２中のＶ−Ｖ断面図である。
【図６】不織布３１と３２との間に塗布される接着剤によって形成される接着領域の一部について説明する概略接着領域図である。
【図７】各弾性部材の配置について説明する図である。
【図８】背側帯部材３０ｂに配置された各弾性部材の位置関係について説明する図である。
【発明を実施するための形態】
【００１０】
本明細書及び添付図面の記載により、少なくとも以下の事項が明らかとなる。
互いに直交する縦方向と横方向と厚さ方向とを有した吸収性物品であって、長手方向を前記縦方向に沿わせて配された吸収性本体と、前記横方向に沿って設けられ、前記吸収性本体の前記長手方向の一方の端部に前記厚さ方向の非肌側から重ねられて固定された腹側帯部材と、前記腹側帯部材よりも面積の大きい別部材として前記横方向に沿って設けられ、前記吸収性本体の前記長手方向の他方の端部に前記厚さ方向の非肌側から重ねられて固定された背側帯部材と、を有し、前記腹側帯部材のうちの前記横方向の各端部と前記背側帯部材のうちの前記横方向の各端部とが連結されることによって、一つの胴回り開口部と二つの脚回り開口部とが形成されており、前記腹側帯部材には、前記横方向の収縮力を付与する腹側胴回り弾性部材が設けられ、前記背側帯部材には、前記横方向の収縮力を付与し、前記横方向から傾斜してなる傾斜部分を有する背側胴回り弾性部材が設けられ、前記吸収性本体には、前記吸収性本体の前記横方向の両端部に前記長手方向の収縮力を付与する一対の脚回り弾性部材と、前記吸収性本体の前記横方向の両側において肌側に起立する防漏壁に前記長手方向の収縮力を付与する一対の防漏壁弾性部材と、が設けられ、前記背側帯部材と前記吸収性本体とが重なる部分の面積は、前記腹側帯部材と前記吸収性本体とが重なる部分の面積以上の大きさであり、前記厚さ方向において、前記腹側帯部材及び前記背側帯部材と、前記脚回り弾性部材及び前記防漏壁弾性部材の伸長された状態の部分が重なっており、前記防漏壁弾性部材の伸長された状態の部分と前記背側帯部材とが重なる長さは、前記脚回り弾性部材の伸長された状態の部分と前記背側帯部材とが重なる長さよりも長く、前記腹側胴回り弾性部材及び前記背側胴回り弾性部材のうち少なくとも一方は、一対の前記脚回り弾性部材及び一対の前記防漏壁弾性部材の前記横方向の間で切断されることにより、切断された箇所から前記脚回り弾性部材及び前記防漏壁弾性部材よりも前記横方向の外側まで収縮している、ことを特徴とする吸収性物品。
このような吸収性物品によれば、胴回り弾性部材を収縮（カットバック）させることにより、胴回りにおける締め付け力を調整しつつ、吸収性本体が腹側・背側帯部材の動きに連動しないようにすることで着用者の脚の動作を妨げにくくすることができる。また、吸収性本体の足回り弾性部材や防漏壁弾性部材が帯部材に対して収縮力を発現可能に配置されることにより、胴回り弾性部材がカットバックしている場合であっても、吸収性本体のずれ落ちが抑制される。これにより、着用者に快適なフィット性を与えつつ脚の動き等の動作を妨げにくいパンツ型おむつを提供することができる。
【００１１】
かかる吸収性物品であって、前記脚回り弾性部材は、前記腹側胴回り弾性部材及び前記背側胴回り弾性部材が配置された位置よりも前記吸収性本体の長手方向の外側の位置まで、伸長された状態で配置されている、ことが望ましい。
このような吸収性物品によれば、胴回り弾性部材が配置されている位置よりも長手方向の外側で胴回りの締め付け力が確保されている領域まで脚回り弾性部材（及び防漏壁弾性部材）による収縮力を作用させることができる。これにより、腹側（背側）帯部材によって吸収性本体がより支持されやすくなり、おむつ着用時において該吸収性本体がずれ落ちることを抑制しやすくなる。
【００１２】
かかる吸収性物品であって、前記腹側帯部材及び前記背側帯部材の前記吸収性本体の前記横方向両端部よりも前記横方向の外側の領域には、接着剤を付着させることによって一対の第１接着領域が形成されており、前記腹側胴回り弾性部材及び前記背側胴回り弾性部材のうちの少なくとも一方は、前記切断された個所から、前記第１接着領域が形成されている領域まで収縮している、ことが望ましい。
このような吸収性物品によれば、胴回り弾性部材を切断して横方向の外側に収縮（カットバック）させる際に、吸収性本体の横方向両外側に設けられた第１接着領域の位置で収縮を止めることができる。これにより、胴回り弾性部材の収縮を正確にコントロールすることが可能となり、胴回りにおける締め付け力が精度良く調整されるため、おむつのフィット性をより向上させることができる。
【００１３】
かかる吸収性物品であって、前記一対の第１接着領域の前記横方向の間には、前記接着剤を付着させることによって第２接着領域が形成されており、前記第１接着領域における単位面積当たりの前記接着剤の重量は、前記第２接着領域における単位面積当たりの前記接着剤の重量よりも大きい、ことが望ましい。
このような吸収性物品によれば、不織布等の部材が第２接着領域によって互い重ね合わされた状態で接合されているため、おむつの使用中に腹側・背側帯部材が互いに剥がれてしまうこと等が抑制される。また、第２接着領域においては胴回り弾性部材を収縮させ、第１接着領域において胴回り弾性部材の収縮を止めることにより、該胴回り弾性部材のカットバック動作を安定的に行わせることができる。
【００１４】
かかる吸収性物品であって、前記腹側胴回り弾性部材は、一対の前記脚回り弾性部材及び一対の前記防漏壁弾性部材の前記横方向の間で切断されることにより、切断された箇所から前記脚回り弾性部材及び前記防漏壁弾性部材よりも前記横方向の外側まで収縮しており、前記背側胴回り弾性部材は、一対の前記脚回り弾性部材及び一対の前記防漏壁弾性部材の前記横方向の間で切断されていない、ことが望ましい。
このような吸収性物品によれば、腹側胴回り弾性部材をカットバックさせ、背側胴回り弾性部材をカットバックさせないことによって、脚回り弾性部材及び防漏壁弾性部材と腹側胴回り弾性部材とが連動しにくくなるようにしつつ、腹側の締め付け力のみを弱めることで、胴回り全体の締め付け力を調整しやすくなる。
【００１５】
かかる吸収性物品であって、前記背側胴回り弾性部材は、一対の前記脚回り弾性部材及び一対の前記防漏壁弾性部材の前記横方向の間で切断されることにより、切断された箇所から前記脚回り弾性部材及び前記防漏壁弾性部材よりも前記横方向の外側まで収縮している、ことが望ましい。
このような吸収性物品によれば、背側胴回り弾性部材をカットバックさせることによって、背側（臀部側）において脚回り弾性部材及び防漏壁弾性部材と背側胴回り弾性部材とが連動しにくくなるようにすることができる。臀部の出っ張りによって大きな力が作用することにより背側帯部材は動きやすいが、吸収性本体を連動しにくくすることで、該吸収性本体の過度の動きが抑制され、着用者に良好なフィット感を与えることができる。
【００１６】
かかる吸収性物品であって、収縮した状態の前記背側胴回り弾性部材の横方向内側端部と前記脚回り弾性部材との間の前記横方向の距離は、前記背側胴回り弾性部材と前記背側帯部材の長手方向の内側端部との間の前記長手方向の距離よりも小さい、ことが望ましい。
このような吸収性物品によれば、背側帯部材の端縁部と背側胴回り弾性部材との長手方向の間隔と比較して、背側胴回り弾性部材の横方向内側端部と脚回り弾性部材との横方向の間隔を目立ちにくくすることで、フィット性が悪くなる等の印象を使用者に与えることを抑制しやすくなる。また、背側帯部材の裾部において不織布同士の接着が剥がれて“めくれ”が生じた場合でも、当該めくれが背側胴回り弾性部材よりも上方に伝播することを抑制しやすくなる。
【００１７】
かかる吸収性物品であって、前記背側胴回り弾性部材は、前記縦方向に複数並んで配置されており、収縮した状態の前記背側胴回り弾性部材の横方向内側端部と前記脚回り弾性部材との間の前記横方向の距離は、複数配置された前記背側胴回り弾性部材の前記縦方向の幅よりも小さい、ことが望ましい。
このような吸収性物品によれば、複数配置された背側胴回り弾性部材の縦方向の幅が使用者に視認されやすいのに対して背側胴回り弾性部材の横方向内側端部と脚回り弾性部材との横方向の間隔を目立ちにくくすることで、フィット性が悪くなる等の印象を使用者に与えることを抑制しやすくなる。複数本の背側胴回り弾性部材が長手方向に並んで配置されているため、“めくれ”が生じた場合でも、当該めくれが上方に伝播することをより抑制しやすくなる。
【００１８】
かかる吸収性物品であって、前記吸収性本体の非肌側表面には、格子状の圧搾部が形成されており、収縮した状態の前記背側胴回り弾性部材の横方向内側端部と前記脚回り弾性部材との間の前記横方向の距離は、前記格子状の圧搾部の対角線の距離よりも小さい、ことが望ましい。
このような吸収性物品によれば、吸収性本体に形成された菱格子柄の圧搾部が外観上使用者の目につきやすいのに対して背側胴回り弾性部材の横方向内側端部と脚回り弾性部材との横方向の間隔を目立ちにくくすることで、フィット性が悪くなる等の印象を使用者に与えることを抑制しやすくなる。
【００１９】
かかる吸収性物品であって、複数の前記背側胴回り弾性部材同士の前記縦方向の間の距離は、前記格子状の圧搾部の対角線の距離よりも小さい、ことが望ましい。
このような吸収性物品によれば、背側胴回り弾性部材同士のピッチが狭いため、当該背側胴回り弾性部材が密集して背側帯部材に強固に固定されているように見えるようになる。これにより、背側胴回り弾性部材がカットバックにより収縮した状態であっても背側帯部材から離脱しにくいという印象を使用者に与えることができる。
【００２０】
かかる吸収性物品であって、前記腹側胴回り弾性部材及び前記背側胴回り弾性部材において、前記吸収性本体と重複する領域に配置された部分の伸長倍率は、前記吸収性本体と重複していない領域に配置された部分の伸長倍率よりも高い、ことが望ましい。
このような吸収性物品によれば、胴回り弾性部材をカットバックさせる領域において、該胴回り弾性部材の伸長の度合いを高くして不織布等に固定することにより、胴回り弾性部材を十分に収縮させることが可能となる。これにより、カットバック時に胴回り弾性部材の一部が脚回り弾性部材及び防漏壁弾性部材の横方向内側に残留することを抑制できる。
【００２１】
＝＝＝実施形態＝＝＝
＜パンツ型使い捨ておむつ１の基本構成＞
図１は、本実施形態の吸収性物品の一例としての３ピースタイプのパンツ型使い捨ておむつ１を腹側から見た概略正面図である。図２は、展開状態のおむつ１を肌側から見た概略平面図であり、図３は、展開状態のおむつ１を非肌側から見た概略平面図である。また、図４Ａ及び図４Ｂは、それぞれ図２中のＡ−Ａ断面図及びＢ−Ｂ断面図であり、図５は、図２中のＶ−Ｖ断面図である。
【００２２】
このパンツ型使い捨ておむつ１（以下、おむつ１とも呼ぶ）は、図１のパンツ型状態において、互いに直交する三方向として縦方向と横方向と厚さ方向（図１では、紙面を貫通する方向）とを有している。
【００２３】
また、同おむつ１は所謂３ピースタイプであることから、図２の展開状態において、第１部品として着用対象者の股間部にあてがわれ尿を吸収する吸収性本体１０を有し、第２部品として同着用対象者の腹側部を覆う腹側帯部材３０ａを有し、第３部品として同着用対象者の背側部を覆う背側帯部材３０ｂを有している。詳しくは、腹側帯部材３０ａと背側帯部材３０ｂとが互いの間に間隔をあけて平行に並んだ状態において、これら両者３０ａ，３０ｂ同士の間に吸収性本体１０が掛け渡されつつ、同吸収性本体１０の長手方向の各端部１０ｅａ及び端部１０ｅｂがそれぞれ腹側帯部材３０ａ及び背側帯部材３０ｂに接合固定されており、その外観形状は平面視略Ｈ形状をなしている。
【００２４】
この略Ｈ形状の展開状態から、吸収性本体１０の長手方向の中央位置Ｃ１を折り位置として同吸収性本体１０が二つ折りされるとともに、この二つ折りの状態において互いに対向する帯部材３０ａ，３０ｂ同士が、着用対象者の脇腹に当接すべき部分３０ａｅ，３０ｂｅ（つまり、横方向の各端部）にて溶着又は接着などされて連結される。そして、帯部材３０ａ，３０ｂ同士が環状に繋がって、これにより、図１に示すような胴回り開口部１ＨＢ及び一対の脚回り開口部１ＨＬ，１ＨＬが形成されたパンツ型状態のおむつ１となる。
【００２５】
なお、展開状態のおむつ１の横方向及び厚さ方向の概念については、図１のパンツ型状態のおむつ１の横方向及び厚さ方向の概念と同じである。そのため、これらについては、展開状態とパンツ型状態とで区別せずに、単に「横方向」及び「厚さ方向」と言う。
【００２６】
一方、図２の展開状態において横方向及び厚さ方向と直交する方向は、吸収性本体１０の長手方向と同じである。そして、この長手方向は、同図２の展開状態のおむつ１の長手方向と揃っているとともに、図１のパンツ型状態での縦方向に沿っている。但し、厳密に言えば、この長手方向は、パンツ型状態での縦方向とは若干意味が異なる。そのため、以下では、展開状態においては、横方向及び厚さ方向と直交する方向のことを、「長手方向」或いは「おむつ長手方向」と言い、パンツ型状態での縦方向と区別する。また、厚さ方向に関しては、着用対象者に接触する側のことを「肌側」とも言い、その逆側のことを「非肌側」とも言う。
【００２７】
図２乃至図５に示すように、吸収性本体１０は、吸収体１１と、同吸収体１１を肌側から覆って設けられたトップシート１３と、同吸収体１１を非肌側から覆って設けられたバックシート１５と、横方向の両側にそれぞれ立体ギャザー１７ｇ，１７ｇを形成するための一対の立体ギャザーシート１７，１７と、を備えている。
【００２８】
吸収体１１は、液体吸収性の吸収性コア１１ｃと、同コア１１ｃの外周面を被覆するコアラップシート１１ｒと、を有する。吸収性コア１１ｃは、所定の液体吸収性素材を所定形状の一例としての平面視略砂時計形状に成形した成形体である。液体吸収性素材としては、パルプ繊維等の液体吸収性繊維や、高吸収性ポリマー（所謂ＳＡＰ）等の液体吸収性粒状物を例示できるが、何等これに限らない。また、コアラップシート１１ｒには、ティッシュペーパーや不織布等の液透過性シートを使用可能であるが、何等これに限らず、さらに言えば、コアラップシート１１ｒについては無くても良い。また、吸収性コア１１ｃの形状は、何等上記の平面視略砂時計形状に限らず、他の形状でも良い。
【００２９】
トップシート１３は、例えば液透過性の不織布で形成され、吸収体１１の長手方向の両側及び横方向の両側から突出するような平面サイズのシートである。また、バックシート１５も、吸収体１１の長手方向の両側及び横方向の両側から突出するような平面サイズのシートである。そして、これら両シート１３，１５は、吸収体１１から長手方向及び横方向に突出した部分で接着や溶着等によって互いに接合され、これにより、両シート１３，１５同士の間に吸収体１１が保持されている。バックシート１５の素材例としては、図４Ａに示すように、ポリエチレン（ＰＥ）フィルム又はポリプロピレン（ＰＰ）フィルム等の液不透過性の防漏シート１５ａと、防漏シート１５ａの非肌側に貼り合わされた不織布製の外装シート１５ｂとを有した二層構造のラミネートシートを挙げることができるが、一定の防漏性を有していれば、何等これに限らない。
【００３０】
また、この例では、外装シート１５ｂによって脚回りギャザーＬＧの一部が形成されている。脚回りギャザーＬＧとは、おむつ１の各脚回り開口部１ＨＬ，１ＨＬに形成される伸縮部ＬＧのことであるが、かかる脚回りギャザーＬＧの一部を形成すべく、図４Ａに示すように、外装シート１５ｂは、防漏シート１５ａから横方向の両側に大きく突出している。そして、この突出した部分１５ｂｆが、吸収性本体１０の横方向の端部に相当する位置を折り返し位置１０ｅｓとして横方向の内側に折り返されているとともに、同折り返し位置１０ｅｓの近傍部分には糸ゴム等からなる一対の脚回り弾性部材１９が長手方向に伸長下で固定されている（図２）。よって、当該近傍部分には長手方向の収縮力が付与されていて、これにより、当該近傍部分は複数の襞を形成しながら長手方向に収縮して、上記の脚回りギャザーＬＧの一部として機能する。なお、折り返された部分の横方向の先端部１５ｂｆｒは、立体ギャザーシート１７の横方向の端部を、肌側から覆っている。
【００３１】
立体ギャザーシート１７，１７は、例えば不織布で形成され、図２及び図４Ａに示すように、トップシート１３の横方向の各端部をそれぞれ肌側から覆うように当該各端部に対応させて一対で設けられている。そして、各シート１７，１７は、それぞれトップシート１３の肌側面から起立する防漏壁たる立体ギャザー１７ｇ，１７ｇを長手方向に沿って形成する。すなわち、各立体ギャザーシート１７は、トップシート１３にホットメルト接着剤等で固定されて起立不能な長手方向に沿った帯状の基端部１７ｋと、同基端部１７ｋを支点として厚さ方向の肌側に起立可能な起立部１７ｓとを横方向に並んで有している。そして、起立部１７ｓの横方向の内側の先端部には、糸ゴム等からなる一対の防漏壁弾性部材１７ｒが長手方向に伸長状態でホットメルト接着剤等により固定されている。また、図４Ｂに示すように、同起立部１７ｓのうちの長手方向の各端部は、それぞれトップシート１３の方に伏せられていて、同接着剤等で当該伏せられた状態に固定されている。この起立部１７ｓには、上記防漏壁弾性部材１７ｒから長手方向の収縮力が付与されているため、当該起立部１７ｓが複数の襞を形成しながら長手方向に収縮して、厚さ方向の肌側に起立することにより、立体ギャザー１７ｇ（防漏壁）が形成される。かかる立体ギャザーシート１７に好適な材料としては、適宜な不織布を例示できて、ここではＳＭＳ（スパンボンド／メルトブローン／スパンボンド）不織布が使用されているが、柔軟性を有していれば、何等これに限らない。
【００３２】
図２に示すように、腹側帯部材３０ａ及び背側帯部材３０ｂは、どちらも不織布等の柔軟なシートを素材とした平面視略矩形形状のシート部材である。ここでは、図４Ｂ及び図５に示すように、不織布３１，３２を二枚重ねに接合することで各帯部材３０ａ，３０ｂが形成されている。そして、各帯部材３０ａ，３０ｂの横方向の中央部３０ａｃ，３０ｂｃが、それぞれ吸収性本体１０における長手方向の各端部１０ｅａ，１０ｅｂに非肌側から重ねられて接合されている。
【００３３】
なお、二枚の不織布３１，３２の平面サイズは、互いに同じサイズであっても良いし、そうでなくても良い。例えば、図５に示すように、この例では、非肌側に位置する不織布３１が、肌側に位置する不織布３２よりも長手方向の外側に突出していて、当該突出した部分３１ｆが、おむつ長手方向の内側に折り返されて、肌側の不織布３２に肌側から重ね合わせられている。
【００３４】
また、この例では、図２及び図５に示すように、腹側帯部材３０ａのおむつ長手方向の寸法よりも背側帯部材３０ｂのおむつ長手方向の寸法の方が、大きくされており、これにより、腹側帯部材３０ａのおむつ長手方向の内側の端縁部３０ａｅ１よりも背側帯部材３０ｂのおむつ長手方向の内側の端縁部３０ｂｅ１の方が、展開状態におけるおむつ長手方向のおむつ１の中央位置Ｃ１の近くまで迫っている。そして、この近くまで迫った部分は、背側帯部材３０ｂにおいて着用対象者のお尻の下部を覆って下着らしさを出すためのお尻カバー３０ｂｎとして機能する。
【００３５】
腹側帯部材３０ａに係る２枚の不織布３１，３２同士の間には、横方向に沿って糸ゴム等の複数本の弾性部材が介挿されつつ、横方向に伸長下で同不織布３１，３２に接合固定されている。この複数本の弾性部材には腹側胴回り弾性部材３５ａ、及び、腹側腰部弾性部材３６ａが含まれる。図２や図５に示すように、腹側胴回り弾性部材３５ａは、腹側帯部材３０ａの端縁部３０ａｅ１において横方向に沿って配置され、脚回り開口部１ＨＬに収縮力を付与する。すなわち、腹側胴回り弾性部材３５ａは、腹側帯部材３０ａの端縁部３０ａｅ１を収縮させて脚回りギャザーＬＧの一部を形成する弾性部材である。腹側腰部弾性部材３６ａは、腹側胴回り弾性部材３５ａよりもおむつ長手方向の外側に配置され、腹側帯部材３０ａの胴回り開口部１ＨＢや腰回り部に収縮力を付与する弾性部材である。
【００３６】
同様に、背側帯部材３０ｂに係る２枚の不織布３１，３２同士の間には、横方向に沿って糸ゴム等の複数本の弾性部材である背側胴回り弾性部材３５ｂ及び背側腰部弾性部材３６ｂが介挿されつつ、横方向に伸長下で同不織布３１，３２に接合固定されている。背側胴回り弾性部材３５ｂは、背側帯部材３０ｂの端縁部３０ｂｅ１に沿って配置され、脚回り開口部１ＨＬに収縮力を付与する弾性部材である。背側腰部弾性部材３６ｂは、背側胴回り弾性部材３５ｂよりもおむつ長手方向の外側に配置され、背側帯部材３０ｂの胴回り開口部１ＨＢや腰回り部に収縮力を付与する弾性部材である。
【００３７】
なお、背側胴回り弾性部材３５ｂは、横方向の各端部に、横方向から傾斜してなる傾斜部分３５ｋｋを有している。例えば図２において、複数の背側胴回り弾性部材３５ｂは、背側帯部材３０ｂにおけるおむつ長手方向の内側の端縁部３０ｂｅ１の湾曲形状に沿わせるべく、横方向の各端部に傾斜部分３５ｋｋを有し、そして、各傾斜部分３５ｋｋは、横方向の外側から内側へ向かうに従っておむつ長手方向の内側へ変位している。そして、これにより、背側帯部材３０ｂの湾曲形状の端縁部３０ｂｅ１に沿って収縮力を付与するようにしている。
【００３８】
＜弾性部材の作用について＞
本実施形態に係るおむつ１では、脚回り弾性部材１９，防漏壁弾性部材１７ｒ，腹側胴回り弾性部材３５ａ，背側胴回り弾性部材３５ｂ等の各弾性部材によって付与される収縮力を調整することによって、着用時における良好なフィット感を実現している。以下、各弾性部材の作用について説明する。
【００３９】
腹側胴回り弾性部材３５ａ及び背側胴回り弾性部材３５ｂは、ホットメルト接着剤等の接着剤を所定の目付量（単位面積当たりの重量）で付着させる（塗布する）ことにより形成される接着領域によって横方向に伸長した状態で不織布３１，３２に固定されている。なお、接着領域を形成する際には、不織布３１，３２側に接着剤を付着させるのであっても良いし、弾性部材側に接着剤を付着させるのであっても良い。若しくは、その両方であっても良い。
【００４０】
図６は、不織布３１と３２との間に塗布される接着剤によって形成される接着領域の一部について説明する概略接着領域図である。同図６では、長手方向の腹側において、吸収性本体１０の横方向端部１０ｅａよりも横方向の両外側で腹側胴回り弾性部材３５ａと重複するように形成される一対の第１腹側接着領域５１ａと、一対の第１腹側接着領域５１ａの横方向内側で、吸収性本体１０と重複する領域に形成される第２腹側接着領域５２ａと、第１腹側接着領域５１ａの横方向外側に形成される第３腹側接着領域５３ａと、が示されている。
【００４１】
同様に、長手方向の背側において、吸収性本体１０の横方向端部１０ｅｂよりも横方向の両外側で背側胴回り弾性部材３５ｂと重複するように形成される一対の第１背側接着領域５１ｂと、一対の第１背側接着領域５１ｂの横方向内側で、吸収性本体１０と重複する領域に形成される第２背側接着領域５２ｂと、第１背側接着領域５１ｂの横方向外側に形成される第３背側接着領域５３ｂと、が示されている。腹側及び背側に形成される各接着領域の機能や構成はほぼ同等であるため、以下では、主に腹側について説明する。
【００４２】
第１腹側接着領域５１ａ及び第２腹側接着領域５２ａでは、領域全体にスパイラル塗工やコントロールシーム塗工、スロットコーターによる全面塗工などの塗工手段を用いて接着剤が塗布されている。一方、第３腹側接着領域５３ａは、縦方向に沿って略線状に塗布された接着剤が横方向に複数並んで形成されている。但し、各接着領域５１ａ〜５３ａを形成している接着剤の目付量はそれぞれ異なり、この例では、第１腹側接着領域５１ａにおける目付量が最も高く、当該領域において腹側胴回り弾性部材３５ａは不織布３１，３２にしっかりと固定されている。また、第２腹側接着領域５２ａにおける目付量は不織布３１と３２とが互いに剥がれないように接合しつつ腹側胴回り弾性部材３５ａは固定しない程度の目付量である。
【００４３】
そして、おむつ１では腹側胴回り弾性部材３５ａ及び背側胴回り弾性部材３５ｂのうち少なくとも一部が切断されることにより、横方向の収縮力が調整されている。図７は、各弾性部材の配置について説明する図である。なお、図７では、説明のため、展開状態のおむつ１について示している。
【００４４】
横方向に伸長した状態で配置されている腹側胴回り弾性部材３５ａは、一対の第１腹側接着領域５１ａの間、さらに言うと、一対の脚回り弾性部材１９及び一対の防漏壁弾性部材１７ｒの間でカッター等によって切断される。本実施形態では、図７に示される横方向の中央線ＣＬの位置で腹側胴回り弾性部材３５ａが切断される。但し、腹側胴回り弾性部材３５ａの切断箇所は中央線ＣＬの位置には限られず、中央線ＣＬからずれた位置において切断されるのであっても良いし、一対の脚回り弾性部材１９及び一対の防漏壁弾性部材１７ｒの間の複数箇所で切断されるのであっても良い。また、腹側胴回り弾性部材３５ａが１回の切断工程（切断動作）で切断されるのではなく、複数回の切断工程で切断されるのであっても良い。切断された腹側胴回り弾性部材３５ａは、該切断された箇所から脚回り弾性部材１９及び防漏壁弾性部材１７ｒの横方向外側まで収縮する。以下この動作を「カットバック」とも呼ぶ。
【００４５】
本実施形態では、腹側胴回り弾性部材３５ａと不織布３１，３２とが、第２腹側接着領域５２ａにおいては固定されておらず、第１腹側接着領域５１ａにおいてはしっかりと固定されている。そのため、カットバック時に腹側帯部材３０ａ（不織布３１，３２）は収縮せず、腹側胴回り弾性部材３５ａが腹側帯部材３０ａに対して相対的に変位しながら、横方向中央の切断箇所から第１腹側接着領域５１ａに向けて収縮する。そして、固定端である第１腹側接着領域５１ａの横方向内側の端部において収縮が止められる。
【００４６】
このように腹側胴回り弾性部材３５ａを収縮させる位置を正確にコントロールしてカットバックさせることにより、胴回りにおける締め付け力を精度良く調整することが可能となり、おむつ１のフィット性をより向上させることができる。
【００４７】
また、上述のカットバックが生じることによって、図７に示されるように脚回り弾性部材１９及び防漏壁弾性部材１７ｒと腹側胴回り弾性部材３５ａとが交差しなくなるため、互いの収縮力が作用しにくくなり、おむつ１の着用時において着用者は脚等を動かしやすくなる。仮に、腹側胴回り弾性部材３５ａのカットバックが行われなかったとすると、該腹側胴回り弾性部材３５ａによる横方向の収縮力と、脚回り弾性部材１９及び防漏壁弾性部材１７ｒによるおむつ長手方向の収縮力とが連動して作用するようになる。例えば、おむつ１の着用者が脚を前方に動かそうとすると、腹側帯部材３０ａ下端部（すなわち開口部１ＨＬが形成されている部分）が前方に移動するのに連動して吸収性本体１０が前側に引っ張られる。この場合、脚の動きが妨げられたり、吸収性本体が鼠蹊部に食い込んだりして、着用者に違和感や不快感を生じさせるおそれがある。これに対して本実施形態では、カットバックにより、腹側胴回り弾性部材３５ａと脚回り弾性部材１９及び防漏壁弾性部材１７ｒとが連動しにくくなっている。これにより、着用者が脚等を動かした場合であっても、腹側帯部材３０ａと吸収性本体１０とが必要以上に引っ張り合うことが抑制され、違和感を生じにくくさせることができる。
【００４８】
なお、このようなカットバックによる効果は背側胴回り弾性部材３５ｂについても同様である。但し、背側胴回り弾性部材３５ｂについては必ずしもカットバックさせなくても良く、腹側胴回り弾性部材３５ａのみをカットバックさせることによって、胴回りにおける締め付け力を調整するようにしても良い。
【００４９】
また、腹側胴回り弾性部材３５ａ及び背側胴回り弾性部材３５ｂのうち、吸収性本体１０と重複する領域（すなわち、弾性部材がカットバックする領域）に配置された部分の伸長倍率は、腹側胴回り弾性部材３５ａ及び背側胴回り弾性部材３５ｂの他の領域や、他の弾性部材（例えば、腹側腰部弾性部材３６ａや背側腰部弾性部材３６ｂ等）の伸長倍率よりも高くなっている。ここで、「伸長倍率」とは、各弾性部材を伸長した状態で不織布等に固定する際の伸長の度合いのことを言い、伸長倍率が高いほど、弾性部材は大きな収縮力を発現することができる。したがって、腹側胴回り弾性部材３５ａ及び背側胴回り弾性部材３５ｂの伸長倍率が低い場合、カットバックが不十分になるおそれがある。例えば、腹側胴回り弾性部材３５ａ及び背側胴回り弾性部材３５ｂが中央線ＣＬにて切断された後、十分に収縮せず、該弾性部材３５ａ,３５ｂの一部が脚回り弾性部材１９及び防漏壁弾性部材１７ｒの横方向内側に残留してしまうおそれがある。そこで、本実施形態では吸収性本体１０と重複する領域における腹側胴回り弾性部材３５ａ及び背側胴回り弾性部材３５ｂの伸長倍率を他の弾性部材等の伸長倍率よりも高くすることで、カットバックによる収縮が適正に生じるようにしている。これにより、横方向に収縮した腹側胴回り弾性部材３５ａ及び背側胴回り弾性部材３５ｂの一部が、脚回り弾性部材１９及び防漏壁弾性部材１７ｒの横方向内側に残留することを抑制できる。
【００５０】
ところで、腹側胴回り弾性部材３５ａ（背側胴回り弾性部材３５ｂ）をカットバックさせることによって、おむつ１の着用時における胴回りの締め付け力が低下すると、吸収性本体１０が下方にずれ落ちやすくなるおそれがある。特に、排便等が行われ、吸収体１１の重量が重くなると、その重量を十分に支持することができなくなる場合がある。そのため、本実施形態では、脚回り弾性部材１９及び防漏壁弾性部材１７ｒの収縮力を利用することにより、おむつ１の着用時において吸収性本体１０がずれ落ちることを抑制している。
【００５１】
図７に示されるように、脚回り弾性部材１９及び防漏壁弾性部材１７ｒの伸長された状態の部分（図７において実線で示される部分）は、それぞれ腹側帯部材３０ａ及び背側帯部材３０ｂと厚さ方向について重なるように配置されている。すなわち、脚回り弾性部材１９及び防漏壁弾性部材１７ｒによる収縮力が、腹側帯部材３０ａ及び背側帯部材３０ｂに作用するように配置されている。これにより、腹側帯部材３０ａ及び背側帯部材３０ｂによって吸収性本体１０の長手方向両端部が上方（長手方向の外側）に引っ張り上げられ、着用時において吸収性本体１０がずれ落ちることが抑制される。
【００５２】
但し、腹側帯部材３０ａ及び背側帯部材３０ｂの裾部付近（すなわち端縁部３０ａｅ１，３０ｂｅ１付近）では、腹側胴回り弾性部材３５ａ及び背側胴回り弾性部材３５ｂがカットバックされているため胴回りの締め付けが弱くなっており、この領域では十分に吸収性本体１０を引っ張り上げる力が作用しない。そこで、図７のように脚回り弾性部材１９及び防漏壁弾性部材１７ｒの伸長された状態の部分が、腹側胴回り弾性部材３５ａ及び背側胴回り弾性部材３５ｂが配置された位置よりも上方（つまり、おむつ長手方向の外側）まで達するようにすることが望ましい。脚回り弾性部材１９及び防漏壁弾性部材１７ｒのおむつ長手方向外側の領域には、カットバックしていない腹側腰部弾性部材３６ａ及び背側腰部弾性部材３６ｂが配置されているため（図７では不図示）、当該領域では十分な胴回りの締め付け力が確保されている。したがって、脚回り弾性部材１９及び防漏壁弾性部材１７ｒのおむつ長手方向外側の領域まで脚回り弾性部材１９及び防漏壁弾性部材１７ｒの収縮力を作用させることで、吸収性本体１０を支持しやすくすることができる。
【００５３】
また、おむつ１では、腹側帯部材３０ａ及び背側帯部材３０ｂにおいて、脚回り弾性部材１９が伸長された状態で配置されている長さよりも、防漏壁弾性部材１７ｒが伸長された状態で配置されている長さの方が長くなっている。言い換えると、伸長状態の防漏壁弾性部材１７ｒの端部位置は、伸長状態の脚回り弾性部材１９の端部位置よりもおむつ長手方向の外側に配置されている。脚回り弾性部材１９による収縮力は吸収性本体１０を引っ張り上げる力として作用すると同時に、着用者の鼠蹊部を締め付ける力としても作用する。そのため、脚回り弾性部材１９の収縮力が強すぎると着用者に不快感を与えやすくなる。そこで、脚回り弾性部材１９の収縮力が過度に作用することを抑制し、その分、防漏壁弾性部材１７ｒの収縮力によって吸収性本体１０を引っ張り上げる力を強くする。このようにすれば、着用者に不快感を与えることなく吸収性本体１０のズレ落ちを効率的に抑制することができる。
【００５４】
また、腹側よりも背側において吸収性本体１０に対して力が作用しやすいようにすることにより、おむつ１のフィット性を向上させることができる。上述したように、おむつ１では、腹側帯部材３０ａのおむつ長手方向の寸法よりも背側帯部材３０ｂのおむつ長手方向の寸法の方が大きく、背側帯部材３０ｂにおいて着用者のお尻（臀部）を広く覆うことができるようになっている。したがって、おむつ１の着用時において、背側帯部材３０ｂは臀部の出っ張りによって後方側に押しこまれ、その際に発生する張力によって吸収性本体１０が背側帯部材３０ｂ側に引っ張られる。すなわち、おむつ１の背側において吸収性本体１０を上方に引き上げるような力が作用する。その際、図２に示されるように、背側帯部材３０ｂと吸収性本体１０とが重なる部分の面積が、腹側帯部材３０ａと吸収性本体１０とが重なる部分の面積よりも大きくなっていることにより、臀部の出っ張りによって発生する力を腹側帯部材３０ａから効率的に吸収性本体１０に作用させることが可能となる。このように、背側において人体の臀部の出っ張りを積極的に利用することにより、吸収性本体１０のズレ落ちを効率的に抑制することが可能となる。
【００５５】
また、おむつ１では、背側帯部材３０ｂの面積が大きいことにより該背側帯部材３０ｂに配置された各弾性部材が視認されやすくなっているため、製品の外観上、使用者に安心館を与えるような各種工夫が施されている。
【００５６】
図８は、背側帯部材３０ｂに配置された各弾性部材の位置関係について説明する図である。同図８に示されるように、背側胴回り弾性部材３５ｂは、おむつ長手方向（図１の縦方向に相当する方向）に３本並んで配置されている。そして、これら３本の背側胴回り弾性部材３５ｂのうち、おむつ長手方向の最も内側に配置されているものと、背側帯部材３０ｂの裾部に相当するおむつ長手方向内側端部（背側帯部材３０ｂの端縁部３０ｂｅ１）との間の長手方向の距離がＬで表されている。また、背側胴回り弾性部材３５ｂの横方向内側端部（すなわち、カットバックした背側胴回り弾性部材３５ｂの端部）と、吸収性本体１０の脚回り弾性部材１９との間の横方向の距離がＳで表されている。また、３本並んだ背側胴回り弾性部材３５ｂのおむつ長手方向の幅がＬ２で表され、各々の背側胴回り弾性部材３５ｂ同士のおむつ長手方向の間隔（ピッチ）がｐで表されている（図８の場合、ｐ＝Ｌ２／２）。
【００５７】
この図８において、まず、横方向の距離Ｓと長手方向の距離Ｌとの位置関係を比較すると、距離Ｓは距離Ｌよりも小さくなっている（Ｓ＜Ｌ）。カットバックによって収縮した背側胴回り弾性部材３５ｂと脚回り弾性部材１９との間隔Ｓが大きすぎると、当該部分において背側胴回り弾性部材３５ｂによる収縮力が働かず、脚回り開口部１ＨＬにおけるフィット性が悪くなるという印象を使用者（着用者を含む）に与えやすくなる。そこで、おむつ１では、脚回り開口部１ＨＬ（端縁部３０ｂｅ１）と背側胴回り弾性部材３５ｂとの間隔Ｌと比較して間隔Ｓを目立ちにくくすることで、使用者に不安感を与えることを抑制している。また、間隔Ｓをなるべく小さくすることによって、背側帯部材３０ｂの裾部において背側胴回り弾性部材３５ｂが横方向に配置される領域を長くすることができる。これにより、例えば、背側帯部材３０ｂの裾部において不織布３１，３２との接合部が剥がれて当該裾部において不織布の“めくれ”が生じるような場合であっても、背側胴回り弾性部材３５ｂの位置で当該“めくれ”を止めることができる。すなわち、背側胴回り弾性部材３５ｂよりも上方（おむつ長手方向の外側）まで“めくれ”が伝播してしまうことを抑制しやすくなる。
【００５８】
さらに図８において、横方向の距離Ｓは、３本並んだ背側胴回り弾性部材３５ｂ長手方向の幅Ｌ２よりも小さくなっている（Ｓ＜Ｌ２）。この幅Ｌ２は使用者に視認されやすいため、間隔Ｓを幅Ｌ２よりも目立ちにくくすることによって、フィット性悪化等の不安感を使用者に与えることを抑制することができる。また、横方向に長く配置された背側胴回り弾性部材３５ｂがおむつ長手方向に複数本（図８では３本）並んで配置されることにより、上述のような“めくれ”が生じたとしても、当該めくれが上方（おむつ長手方向の外側）に伝播することをより抑制しやすくなる。
【００５９】
また、おむつ１において吸収性本体１０の非肌側表面（すなわちバックシート１５側）には、エンボス加工によって図８に示されるような略ひし形が複数隣り合って格子状に並んだ圧搾部が形成されている。このようなひし形の格子状（菱格子）の圧搾部は、吸収体１１を平面視略砂時計形状に保持しやすくすると共に、おむつ１の外観を良好なものにすることができる。図８において、格子状（菱格子状）圧搾部の対角線の長さをＶとすると、圧搾部の間隔Ｖが上述の間隔Ｓよりも大きくなっている（Ｓ＜Ｖ）。この場合も、使用者によって視認されやすい間隔Ｖに対して間隔Ｓを目立ちにくくすることによって、フィット性悪化等の不安感を使用者に与えることを抑制することができる。
【００６０】
また、この圧搾部の間隔Ｖは、背側胴回り弾性部材３５ｂの長手方向の間隔ｐよりも大きくなっている（ｐ＜Ｖ）。外観上使用者の目につきやすい圧搾部の間隔Ｖよりも背側胴回り弾性部材３５ｂ同士の間隔ｐを小さくすることにより、背側胴回り弾性部材３５ｂ同士が密集して背側帯部材３０ｂに強固に固定されているように見えるようになる。これにより、背側胴回り弾性部材３５ｂがカットバックにより収縮した状態であっても背側帯部材３０ｂから離脱しにくいという印象を使用者に与えることができる。
【００６１】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６２】
１  使い捨ておむつ（吸収性物品）、
１ＨＢ  胴回り開口部、１ＨＬ  脚回り開口部、
１０  吸収性本体、１０ｅａ  端部、１０ｅｂ  端部、１０ｅｓ  折り返し位置、
１１  吸収体、１１ｃ  吸収性コア、１１ｒ  コアラップシート、
１３  トップシート（肌側シート）、
１５  バックシート、１５ａ  防漏シート（非肌側シート）、１５ｂ  外装シート、
１５ｂｆ  部分、１５ｂｆｒ  先端部、
１７  立体ギャザーシート（肌側シート）、１７ｇ  立体ギャザー、１７ｋ  基端部、
１７ｒ  防漏壁弾性部材、１７ｓ  起立部、
１９  脚回り弾性部材、
３０ａ  腹側帯部材、３０ａｃ  中央部、３０ａｅ  端部、３０ａｅ１  端縁部、
３０ｂ  背側帯部材、３０ｂｃ  中央部、３０ｂｅ  端部、３０ｂｅ１  端縁部、
３０ｂｎ  お尻カバー、
３１  不織布、３２  不織布、
３５ａ  腹側胴回り弾性部材、
３５ｂ  背側胴回り弾性部材、３５ｋｋ  傾斜部分、
３６ａ  腹側腰部弾性部材、３６ｂ  背側腰部弾性部材、
５１ａ  第１腹側接着領域、５２ａ  第２腹側接着領域、５３ａ  第３腹側接着領域、
５１ｂ  第１背側接着領域、５２ｂ  第２背側接着領域、５３ｂ  第３背側接着領域、
Ｃ１  中央位置、ＣＬ  中央線
【要約】      （修正有）【課題】着用者に快適なフィット性を与えつつ脚の動き等の動作を妨げにくいパンツ型おむつを提供する。【解決手段】吸収性本体１０と、腹側帯部材３０ａと、背側帯部材３０ｂと、を有し、腹側帯部材には腹側胴回り弾性部材３５ａが設けられ、背側帯部材には背側胴回り弾性部材３５ｂが設けられ、吸収性本体には一対の脚回り弾性部材１９と、一対の防漏壁弾性部材１７ｒと、が設けられ、背側帯部材と吸収性本体とが重なる部分の面積は、腹側帯部材と吸収性本体とが重なる部分の面積以上の大きさであり、厚さ方向において、腹側帯部材及び背側帯部材と、脚回り弾性部材及び防漏壁弾性部材の伸長された状態の部分が重なっており、防漏壁弾性部材の伸長された状態の部分と背側帯部材とが重なる長さは、脚回り弾性部材の伸長された状態の部分と背側帯部材とが重なる長さよりも長い。【選択図】図７【図１】
0005866045.tif 000002
【図２】
0005866045.tif 000003
【図３】
0005866045.tif 000004
【図４】
0005866045.tif 000005
【図５】
0005866045.tif 000006
【図６】
0005866045.tif 000007
【図７】
0005866045.tif 000008
【図８】
0005866045.tif 000009